(57)【特許請求の範囲】
【請求項１】
前面壁と該前面壁面に対して傾斜角を採って設けられた支持部より成り、該支持部によってコンクリート護岸上に定着するようにし、該前面壁の下端部に係合段を形成し、該支持部に該係合段と嵌合係止する係止部を設けると共にコンクリート護岸上に定着する固定手段取付部を設けたことを特徴とするコンクリート護岸用緑化ステップ形成ブロック。
【請求項２】
前面壁を木材や石板で形成したり、前面壁を低くして木材や石材を固定したり、前面壁表面に木材状模様若しくは石材状模様、若しくはタイル模様等を形成したことを特徴とする請求項１に記載のコンクリート護岸用緑化ステップ形成ブロック。
【請求項３】
請求項１〜２の何れか１つに記載のコンクリート護岸用緑化ステップ形成ブロックを既設コンクリート護岸上に配置し、前記護岸用緑化ステップの支持部を既設コンクリート護岸に定着したことを特徴とする緑化護岸工。
【請求項４】
格子状リブ部を形成した既設コンクリート護岸上に該格子状リブ上および格子状リブ間における平坦部にコンクリート護岸用緑化ステップの支持部を交互に配置し、それら支持部と既設コンクリート護岸とを定着したことを特徴とする請求項３に記載の緑化護岸工。
【発明の詳細な説明】
【０００１】
【発明の属する技術分野】
本発明はコンクリート護岸用緑化ステップ形成ブロックおよび緑化護岸工に係り、既設のコンクリート護岸を利用して多自然型護岸工を比較的簡易且つ低コストに形成し、違和感のない水辺風景と植物生育と、魚介類棲息に適した護岸設備を得ようとするものである。
【０００２】
【従来の技術】
河川や湖沼などの護岸目的においてコンクリート護岸工は従来から種々に採用されて来た。即ち一般的には法面の基礎部１４上に図１に示すようなリブ部１１を交叉状に設け、それらリブ部１１間にコンクリート１２を打った格子張りの護岸工を形成するもので、これによって水辺岸部の強度を高めて損壊を防止しようとするものである。
【０００３】
【発明が解決しようとする課題】
上記したような従来のコンクリート護岸工は水辺部の護岸目的を達し得ることはもとよりであるが岸部全般をコンクリート被覆工で被覆するものであるから自然環境を大きく変化せしめることは明かで、周辺の自然的景観になじまない傾向が著しい。即ちコンクリート構造物が全面的に被覆した状態となるから植物などが全く生育しない設備となるので違和感を与えることは明かで親しみの乏しい構造物とならざるを得ない。
【０００４】
従って近時において社会的に要請されている生態系にやさしい設備となし得ず、このようなコンクリート護岸工を多自然型のものに造り変えるようなことが検討され、且つ実施されているが、上記のような全面被覆護岸工の全般を破壊して取除いてから新しい緑化護岸工を構築することとなるので、その工数が大であり、破壊されたコンクリート工の廃棄処理、その後の整地と、新しい護岸工のための基礎施工の如き施工現場における夫々の大きな工数、工費および工期を必要とする不利がある。
【０００５】
【課題を解決するための手段】
本発明は上記したような従来技術における課題を解消することについて検討を重ね、特別な護岸用ブロックを採用することにより比較的簡易且つ低コストに、しかも安定且つ的確な緑化護岸工を得ることに成功したものであって、以下の如くである。
【００１０】
（１）前面壁と該前面壁面に対して傾斜角を採って設けられた支持部より成り、該支持部によってコンクリート護岸上に定着するようにし、該前面壁の下端部に係合段を形成し、該支持部に該係合段と嵌合係止する係止部を設けると共にコンクリート護岸上に定着する固定手段取付部を設けたことを特徴とするコンクリート護岸用緑化ステップ形成ブロック。
【００１１】
（２）  前面壁を木材や石板で形成したり、前面壁を低くして木材や石材を固定したり、前面壁表面に木材状模様若しくは石材状模様、若しくはタイル模様等を形成したことを特徴とする（１）のコンクリート護岸用緑化ステップ形成ブロック。
【００１２】
（３）（１）又は（２）の何れか１つに記載のコンクリート護岸用緑化ステップ形成ブロックを既設コンクリート護岸上に配置し、前記護岸用緑化ステップの支持部を既設コンクリート護岸に定着したことを特徴とする緑化護岸工。
【００１３】
（４）  格子状リブ部を形成した既設コンクリート護岸上に該格子状リブ上および格子状リブ間における平坦部にコンクリート護岸用緑化ステップの支持部を交互に配置し、それら支持部と既設コンクリート護岸とを定着したことを特徴とする（３）の緑化護岸工。
【００１４】
【発明の実施の形態】
前記したような本発明によるものの具体的な実施態様を添附図面に示すものについて説明すると、前記したような従来技術によるコンクリート護岸工は一般的に図１に示す如くであって、格子枠状のリブ部１１を形成し、それらリブ部１１、１１の間をそれより薄層状としてコンクリート打層１２を形成したもので、図示のように岸部の傾斜に即応せしめて傾斜して施工し、その下端部を法留コンクリート１３で支持させたものである。
【００１５】
本発明においては上記のような従来の護岸工に対し、代表的に図２と図３に示すようなコンクリート護岸用緑化ステップ形成ブロックを提案するもので、その構成は前面壁１と該前面壁１の壁面に対して傾斜角を採って設けられた支持部２より成り、該支持部２に定着部３を形成して、前記した図１のようなコンクリート護岸３０上に定着するようにされたものであって、この構成のものにおいては前記支持部２の底部に水抜き孔４が設けてある。
【００１６】
図４のものは支持部２ａが前面壁１の下端部に一体として形成されていることは図１と同じであるが前面壁１の両端部に部分的に突設されたものであり、水抜き孔４も前面壁１の下端部に部分的に配設されている。
【００１７】
上記したような図１、図２のものに対し、図５と図６には別体成形された支持部体２１を設けたものが示されており、図５に示すように奥部を狭小とした函型の支持部体２１を図６に示すような、前面壁１の下端側に埋設されたインサート筋の連結具２２にボルト等の固定具２３で、適宜に座金２３ａを用い締着したものであり、支持部２１は図５においてその下部に併せて示してあるように函型支持部体２１の一側を開放した支持部体２１ａとしてよい。このような支持部体２１，２１ａは合成樹脂や防錆処理されたあるいは防錆効果の高い金属部材などによって適宜に製作することができる。また、この前面壁１は別体成形されることから、コンクリート製に換えて後述する図１８の如くに丸太を組合せ連結して壁状に形成したり、木の板や石板としたりして直接使用してよいことは言うまでもなく、このことによってより自然にマッチさせることができる。
【００１８】
図７と図８には図５と同一の材質で別体成形された支持部体２４が前面壁１の製造時に一体化して取付けるようにされた場合が示されており、即ちこの場合の支持部体２４には図７において併せて示すようにその上面に異形鉄筋等で形成された連結部２５が突設されていて、このような突設連結部２５により図８に示すように前面壁１に対し安定に連結されている。
【００１９】
図９以下には上記したような本発明の緑化ステップ形成ブロック１０を用いて構成される緑化護岸工の態様が示されており、即ち図９はその設定状態の斜面図で、形成ブロック１０の長さはコンクリート護岸のリブのピッチに合わせてある。図１０は施工現場におけるコンクリート護岸のリブにそった断面、図１１はリブ間の比較的薄層なコンクリート打層部分における断面図であって、図１２、図１３は前面壁取付部の仔細を示すものであり、コンクリート護岸の厚いリブ部のコンクリート層に直角方向に形成ブロック１０の定着部３の位置に合わせてドリルで孔３１を開けて凝結剤３２でアンカー筋３１ａを固結し、形成ブロック１０を設置してナット等の接合具３１ｂで連結する。緑化ステップ形成ブロックの前面壁１は図１１に示すように薄層状コンクリート打層１２と横方向リブ１１上に交互に位置せしめられ、前面壁１の端部に形成された支持部２ａは図１０のように前記図１に示したようなコンクリート護岸工３０上にセットされ、何れにしても用土２０が受入れられて植生１９が植生されることによって好ましい緑化を図ることができる。図１１は、一部が水中にある場合での使用例であって、形成ブロック内に玉石等の天然石材や建設廃材から発生する一定大きさのコンクリート塊２０ａを装填することで、空隙部が小魚や水生昆虫の生息場となると共に、表面に水草や藻類が着生して魚介類の餌場となる。また、石材間の通水によって礫間接触酸化による水の浄化も期待できる。
【００２０】
急流域や水衝部等の水流の強い箇所での対処として、図１４と図１５には上記のようにして設定された各ステップブロック１０に関して、その頂端部間に防錆処理されたメッシュ状の鉄線或いは合成樹脂製の網状の各種連繋材１５を取付ける場合が示されている。即ち上述したように段設された各ステップブロック１０間には法面の低水位の浸水域においては玉石等の天然石材や建設廃材によるコンクリート塊２０ａが装填され、水生生物の棲息域となり水の浄化にも寄与する。また大気域において種子、肥料、土が適宜配合された植生土のう３５が装入されて植生１９を生育させるように成っているが、このようにして配設されたステップブロック１０は頂端部に埋設された連結具２２に連繋材１５を座金２３ａで挟み込んで固定具２３によって相互に連結され適切な構成体とされ、流速の速い箇所や洪水時の増水に適切に対処できる。
【００２１】
図１６から図２０にはデザイン部を形成して好ましい美観性を得しめるようにした本発明のステップ形成ブロックの若干例が示されている。即ち、図１６のものは丸太材模様２６を採用したものであり、また図１７のものは玉石模様２７を施したもの、更に図１８のものは段差を有する防腐処理を施した丸太材２８を横方向にボルト等の連結子２９で連結一体に別体成形し、これを取付部体３６に取付けるようにしたもので、その取付構造の仔細については別に図１９に示すように、形成ブロック１０に埋設された連結具２２に固定具２３で固定するようにしたものである。なお図２０のものは丸太同様防腐処理をした板材２８ａを取付部体３６に取付けたもので、板材に換えて石板としてもよく取付部の仔細は図１９において示したところと同様となる。
【００２２】
図２１〜図２４には定着固定手段として緑化ステップ形成ブロックに簡易な連結杆を用いた場合が示され、即ち図２１と図２２はその基本的な関係を示すもので、図２３は前面壁１に丸太状木材模様２６を形成したものであり、これは前述と同様に板模様や擬石、擬岩模様としてよいが、そのような前面壁１の前述した緑化ステップ形成ブロックと反対方向の下部に傾斜した支持部２ｂを設けたもので、背面の土砂等の圧力による転倒防止を図るもので、図２４の傾斜支持部２ｃは、図４に示す如く両端にのみ設けたものであるが、傾斜支持部２ｂ，２ｃの基端部から屈曲突出部３７を形成し、該屈曲突出部３７を図２４に示すようにコンクリート護岸３０のリブ１１に開けた穿孔３１に挿入して凝結剤３２により固結させたものである。
【００２３】
図２５と図２６には上記したような図２４までのものとは異った支持部５を採用した本発明の緑化ステップ形成ブロック１０ａが示されている。即ち図２４までのものは長短の差があっても支持部２は前面壁１の板面幅方向と平行状態であるのに対し、これら図２５、図２６のものは前面壁１の板面幅方向と直角方向として形成したもので、定着部３は１例として図２６に示されるように前記支持部５の側方に配設されている。なおこの場合においては水抜孔４は前面壁１の下部全長に設けられた通水孔４ａと前記支持部５の底部に設けた水抜孔４ｂと連通していて、法面の降雨は前面壁の背面水抜孔４に集水され、下部の通水孔４ａを通って支持部の水抜孔４ｂで排水される。前述した図２〜図２４の水抜孔は上段の降雨が下段に集まるようになっており、下段に行く程土の含水比が高くなり、植物の生育に影響を与え易いが、このステップ形成ブロック１０ａは各段毎の集水であるためにこのような問題が生じない利点がある。また、前面壁１は底部を厚層として強度および安定性を得しめるようになっている。
【００２４】
上記した図２５、図２６の緑化ステップ形成ブロック１０ａによる護岸工の形成状態は図２７に示す如くで、またこのものにおける定着部３での既設コンクリート護岸３０に対する取付状態は図２９の如くであり、更にその緑化状態は図２８に示されている。即ちコンクリート護岸３０については図９に示したところと同様にあることは図２７の如くであるが、この図２５、図２６のものの場合は適宜に前面壁１の長さが２分の１で支持部５がその一端に形成されている補助ブロック３８を用いてこの図２７のように配設し、リブ１１上に前面壁１および支持部５を位置せしめた状態で前記定着部３で固定する。定着部３は固定具２３でコンクリート護岸３０に定着される。
【００２５】
この図２７のようにして構成された各ステップ形成ブロック１０ａ内に図１０および図１１のものと同様に用土２０や石材２０ａ等を装填することにより植生１９を生育せしめたり水生生物の生息場となし得ることは前述したところと同様であり、図２８にはコンクリート護岸３０に対し緑化を図れるようにしたもので図１０に示したものと同じである。図３０のものは石積を模した擬岩模様３９を形成したものであるが、この模様は前述したとおり擬石、擬木やタイル等の模様てよいことは言うまでもない。また、上記のような図２７〜図２９のものと同様に緑化工を形成し得ることは明かである。
【００２６】
図３１以下には本発明によるもう１つの実施構成が示されている。即ち図３１は板状木材または板状木材模様３３を形成したコンクリートの前面壁板１ａ、図３２は石板または岩盤状模様３４を形成した前面壁板１ａ、図３３は無模様のコンクリート生の前面壁板１ａで、その下端部の中央部には水抜き孔４を有していて両側に切欠段部１６を対設し、このような切欠段部１６に取付けられるのが図３４に示すような嵌合板６であり、該嵌合板６には嵌合部７が形成されると共に定着部８が設けられている。
【００２７】
即ち、これら図３１〜図３３の前面壁板１ａは代表的に図３３のものについて図３５に示すように嵌合板６の嵌合部７に対し切欠段部１６の奥部を嵌合させることにより図３５に示す如く、緑化ステップ形成ブロック１０ｂが形成されている。この嵌合板６は図１２と同様の寸法で図３６に示す如く取付けることができ、それによってブロック１０ｂの前面壁板１ａを立体的としてセットし、既設コンクリート護岸３０上に前記した実施構成のものと同様として取付けることができる。
【００２８】
緑化のための植生１９は用土２０や石材２０ａをブロック１０ｂ内に充填して植物を植込むことによって既述した図１０や図１１あるいは図２８のものと同じに得られることは図３７、３８に示す如くである。図３７はコンクリート護岸のリブ１１に添った断面を、図３８はリブ間の比較的薄層部分１２における断面図である。
【００２９】
上記したような本発明によるものは前面壁と該前面壁面に対して傾斜角を採って設けられた支持部より成り、該支持部によってコンクリート護岸上に定着するようにしたことにより既設のコンクリート護岸をそのまま緑化目的に利用し、工数が少なく低コストに強固な緑化ステップを形成して有効な多自然型護岸を構成することができる。
【００３０】
また本発明では、支持部が前面壁と一体成形され、該支持部にコンクリート護岸上に定着するための固定手段取付部を設けたことにより単一部体によって上記したような特質を有する緑化ステップを的確に形成せしめる。
【００３１】
更に、本発明では、支持部が前面壁と別体成形され、該支持部に前面壁に対する固着部を形成すると共にコンクリート護岸上に定着するための固定手段取付部を設けたことによって単純で製作の容易な前面壁部体を用いて上記したような本発明の緑化ステップを有効に形成させる。
【００３２】
なお、前面壁に取付けた固定手段を支持部を介してコンクリート護岸に穿設した取付孔に装入して固定するようにしたことにより簡易な構成で既設コンクリート護岸に安定した緑化ステップの取付けを図らしめる。
【００３３】
前面壁の下端部に係合段を形成し、支持部に該係合段と嵌合係止する係止部を設けると共にコンクリート護岸上に定着する固定手段取付部を設けたことにより別体として準備された支持部を単純な嵌合構造によって適切に前面壁と結合し且つコンクリート護岸に対する取付けを図らしめる。
【００３４】
前面壁表面に木材または木材状模様若しくは石材または石材状模様或いはタイル模様等の何れか一方を形成したことにより形成された緑化ステップの美観性を向上し、周辺環境になじんだ緑化設備や水生生物の棲息場を提供する。
【００３５】
上述したようなコンクリート護岸用緑化ステップ形成ブロックを既設コンクリート護岸上に配置し、前記護岸用緑化ステップの支持部を既設コンクリート護岸に定着したことにより平易で、しかも強度性に優れ安定な緑化護岸や水生生物の棲息場を容易に構成させる。
【００３６】
格子状リブ部を形成した既設コンクリート護岸上に該格子状リブ上および格子状リブ間における平坦部にコンクリート護岸用緑化ステップの支持部を交互に配置し、それら支持部と既設コンクリート護岸とを定着したことにより一般的に用いられている既設コンクリート護岸をそのまま利用し、しかもその強度構造を有効に得られた緑化ステップに採用させて充分な護岸性能を具備し、しかも自然環境と適切に調和した緑化や水生生物の棲息場を兼ねた護岸を提供する。
【００３７】
【発明の効果】
以上説明したような本発明によるときは既設コンクリート護岸を殊更に破壊解砕するようなことなしに緑化ステップ上を平易且つ低コストに形成せしめ、しかも該緑化ステップ護岸工の強度を充分に高く確保して耐用性の高い施工を得しめ、違和感のない水辺風景、植物育生ないし魚介類棲息を有利に図らしめることができるものであるから工業的にその効果の大きい発明である。
【図面の簡単な説明】
【図１】本発明の適用されるコンクリート護岸の構成状態を示した部分的な斜面図である。
【図２】本発明によるステップ形成ブロックの１例を示した斜面図である。
【図３】本発明によるステップ形成ブロックの別の例を示した斜面図である。
【図４】本発明によるステップ形成ブロックの更に別の例を示した斜面図である。
【図５】別体成形された支持部体を有する本発明によるステップ形成ブロックの１例を示した斜面図である。
【図６】図５のステップ形成ブロックについての取付部材セット部を拡大して示した部分的な断面図である。
【図７】本発明によるもう１つのステップ形成ブロックの斜面図である。
【図８】図７に示したステップ形成ブロックの取付部材セット部についての拡大した部分的断面図である。
【図９】本発明によるステップ形成ブロックをコンクリート護岸工に取付けた状態の斜面図である。
【図１０】図９に示したものの一部についての前記図２〜図４および図５、図６に示したステップ形成ブロックの各下端部分を示した断面図である。
【図１１】リブ間の比較的薄層なコンクリート打層部分での図１０と同様な断面図である。
【図１２】前記図１０および図１１に示したステップ形成ブロック固定部についての図３および図４に示した場合の拡大断面図である。
【図１３】前記図１０および図１１に示したステップ形成ブロック固定部についての図５および図６に示した場合の拡大断面図である。
【図１４】本発明によるステップ形成ブロックを段設したものに対して頂端連繋材を取付けた状態の断面図である。
【図１５】図１４に示したものの一部についての部分的な拡大断面図である。
【図１６】本発明によるデザインステップ形成ブロックに丸太模様を採用した例を示した各斜面図である。
【図１７】本発明によるデザインステップ形成ブロックに玉石模様を採用した例を示した各斜面図である。
【図１８】本発明によるデザインステップ形成ブロックに段差を有する丸太模様を採用した例を示した各斜面図である。
【図１９】図１８に示したものの取付部材固定部にそった部分的な拡大断面図である。
【図２０】本発明による更に別のステップ形成ブロックを示した斜面図である。
【図２１】本発明による別の取付部材を用いたステップ形成ブロックの１例を示した斜面図である。
【図２２】図２１に示したものを別の方向から示した斜面図である。
【図２３】前面壁に丸太模様を採用した簡易な連結杆を用いた緑化ステップ形成ブロックの１例を示した斜面図である。
【図２４】図２１〜図２３に示したもののコンクリート護岸に対する取付部を拡大して示した部分的断面図である。
【図２５】本発明によるもう１つのステップ形成ブロックについて正面側から見た斜面図である。
【図２６】本発明によるもう１つのステップ形成ブロックについて背面側から見た斜面図である。
【図２７】図２５、２６に示したブロックによるステップ形成状態を示した斜面図である。
【図２８】図２７に示したもののリブ部にそった部分的な断面図である。
【図２９】図２７における取付部にそった部分的な拡大断面図である。
【図３０】本発明による擬岩模様を用いたステップ形成ブロックの正面側から見た斜面図である。
【図３１】本発明による板状木材または板状木材模様を形成したステップ形成ブロックの前面壁の斜面図である。
【図３２】本発明による石板または岩盤状模様を形成したステップ形成ブロックの前面壁の斜面図である。
【図３３】本発明によるたステップ形成ブロックのコンクリート製前面壁の斜面図である。
【図３４】図３１〜図３３のステップ形成ブロックに対する嵌合板の斜面図である。
【図３５】図３３のブロックに図３４の嵌合板を組付け連結した状態の斜面図である。
【図３６】図３５の取付部における拡大断面図である。
【図３７】図３３〜図３５に示したブロックと嵌合板で形成されたステップの取付部材部分および取付部材間の中間部における断面図である。
【図３８】リブ間の比較的薄層なコンクリート打層部分における図３７と同様な断面図である。
【符号の説明】
１  前面壁
１ａ  支持部を有しない前面壁
２  支持部
２ａ  前面壁の両端に設けた支持部
２ｂ  前面壁の下部に２と反対側に傾斜した支持部
２ｃ  前面壁の下部に２と反対側に傾斜した両端部の支持部
３  定着部
４  水抜き孔
４ａ  前面壁全長での通水孔
４ｂ  前面壁直角方向支持部座部の通水孔
５  前面壁直角方向支持部
６  嵌合板
７  その嵌合部
８  その定着部
１０  緑化ステップ形成ブロック
１０ａ  前面壁直角方向支持部を有する形成ブロック
１０ｂ  嵌合板を用いて構成される形成ブロック
１１  枠状リブ部
１２  コンクリート層
１３  法留コンクリート
１４  基礎部
１５  連繋材
１６  切欠段部
１９  植生
２０  用土
２０ａ  天然石材またはコンクリート廃材
２１  支持部体
２１ａ  別な構成の支持部体
２２  連結具
２３  固定具
２３ａ  座金
２４  更に別な構成の支持部体
２５  突出連結部
２６  丸太材模様
２７  玉石模様
２８  段差を有する丸太材
２８ａ  板材
２９  連結子
３０  コンクリート護岸
３１  穿孔
３１ａ  アンカー筋
３１ｂ  接合具
３２  凝結剤
３３  板状木材または板状木材模様
３４  岩盤状模様
３５  植生土のう
３６  取付部体
３７  屈曲突出部
３８  補助ブロック
３９  擬岩模様
【図１】
0003903225.tif 000002
【図２】
0003903225.tif 000003
【図３】
0003903225.tif 000004
【図４】
0003903225.tif 000005
【図５】
0003903225.tif 000006
【図６】
0003903225.tif 000007
【図７】
0003903225.tif 000008
【図８】
0003903225.tif 000009
【図９】
0003903225.tif 000010
【図１０】
0003903225.tif 000011
【図１１】
0003903225.tif 000012
【図１２】
0003903225.tif 000013
【図１３】
0003903225.tif 000014
【図１４】
0003903225.tif 000015
【図１５】
0003903225.tif 000016
【図１６】
0003903225.tif 000017
【図１７】
0003903225.tif 000018
【図１８】
0003903225.tif 000019
【図１９】
0003903225.tif 000020
【図２０】
0003903225.tif 000021
【図２１】
0003903225.tif 000022
【図２２】
0003903225.tif 000023
【図２３】
0003903225.tif 000024
【図２４】
0003903225.tif 000025
【図２５】
0003903225.tif 000026
【図２６】
0003903225.tif 000027
【図２７】
0003903225.tif 000028
【図２８】
0003903225.tif 000029
【図２９】
0003903225.tif 000030
【図３０】
0003903225.tif 000031
【図３１】
0003903225.tif 000032
【図３２】
0003903225.tif 000033
【図３３】
0003903225.tif 000034
【図３４】
0003903225.tif 000035
【図３５】
0003903225.tif 000036
【図３６】
0003903225.tif 000037
【図３７】
0003903225.tif 000038
【図３８】
0003903225.tif 000039